(57)【要約】【課題】  インクミスト汚れ防止対象を光学ディスクやで重要なデータアクセス部に絞ることで、低コストで効果的なインクミスト汚れ防止機構を有する画像記録装置及びその制御方法、プログラムを提供する。【解決手段】  本発明の画像記録装置は、画像を記録するためのレーベル面を有する記録メディアの該レーベル面にインクを吐出し画像を記録する記録部と、デジタルデータを記憶するためのデータアクセス面を有する記録メディアの該データアクセス面に対してデジタルデータの読み書きを行うデータアクセス部とを備える。さらに、データアクセス部はインクの付着から保護されるための保護手段を備えることを特徴とする。【選択図】  図６
2008207494.tif 000002
【特許請求の範囲】
【請求項１】
画像を記録するためのレーベル面を有する記録メディアの該レーベル面にインクを吐出し画像を記録する記録部と、
デジタルデータを記憶するためのデータアクセス面を有する記録メディアの該データアクセス面に対してデジタルデータの読み書きを行うデータアクセス部とを備える画像記録装置であって、
前記データアクセス部は、前記インクの付着から保護されるための保護手段を備えることを特徴とする画像記録装置。
【請求項２】
前記保護手段は、前記データアクセス部のデータアクセス面をキャッピングするキャッピング手段である
ことを特徴とする請求項１に記載の画像記録装置。
【請求項３】
前記データアクセス部をホームポジションに移動する移動手段と、
前記移動手段及び前記保護手段の動作を制御する制御手段とを更に備え、
前記制御手段は、前記データアクセス部を前記移動手段によって前記ホームポジションに移動後、前記キャッピング手段によって前記データアクセス面をキャッピングすることで、該データアクセス面への前記インクの付着から保護する
ことを特徴とする請求項２に記載の画像記録装置。
【請求項４】
前記保護手段は、前記ホームポジションで前記データアクセス部をその外部から遮蔽する遮蔽部材である
ことを特徴とする請求項３に記載の画像記録装置。
【請求項５】
前記保護手段は、データアクセス部を帯電させる帯電手段である
ことを特徴とする請求項１に記載の画像記録装置。
【請求項６】
前記保護手段は、前記データアクセス部のデータアクセス面を構成する帯電性を持たせて成型された光学部材である
ことを特徴とする請求項１に記載の画像記録装置。
【請求項７】
前記保護手段は、前記データアクセス部のデータアクセス面をインクの付着状態から回復させるための回復手段である
ことを特徴とする請求項１に記載の画像記録装置。
【請求項８】
前記回復手段は、ワイパー部材である
ことを特徴とする請求項７に記載の画像記録装置。
【請求項９】
前記回復手段は、前記データアクセス部のデータアクセス面に付着したインクを吸収する吸収部材である
ことを特徴とする請求項７に記載の画像記録装置。
【請求項１０】
前記データアクセス部のデータアクセス面にインクが付着しているか否かを検知する検知手段と、
前記回復手段の動作を制御する制御手段とを更に備え、
前記制御手段は、前記検知手段の検知結果に基づいて、前記回復手段による回復処理を実行する
ことを特徴とする請求項７に記載の画像記録装置。
【請求項１１】
前記検知手段の検知結果に基づいて、前記データアクセス部の回復処理の実行を促すメッセージを表示する表示手段を更に備える
ことを特徴とする請求項１０に記載の画像記録装置。
【請求項１２】
前記保護手段は、前記データアクセス部を前記インクジェット記録部の記録実施位置よりも上方に構成することで、前記データアクセス部への前記インクの付着から保護する
ことを特徴とする請求項１に記載の画像記録装置。
【請求項１３】
前記保護手段は、前記データアクセス部と前記インクジェット記録部とを空間的に分離させることで、前記データアクセス部への前記インクの付着から保護する
ことを特徴とする請求項１に記載の画像記録装置。
【請求項１４】
画像を記録するためのレーベル面を有する記録メディアの該レーベル面にインクを吐出し画像を記録する記録部と、デジタルデータを記憶するためのデータアクセス面を有する記録メディアの該データアクセス面に対してデジタルデータの読み書きを行うデータアクセス部とを備える画像記録装置の制御方法であって、
前記データアクセス部をホームポジションに移動する移動工程と、
前記移動工程によって前記ホームポジションに移動された前記データアクセス部を前記インクの付着から保護する保護工程と
を備えることを特徴とする画像記録装置の制御方法。
【請求項１５】
画像を記録するためのレーベル面を有する記録メディアの該レーベル面にインクを吐出し画像を記録する記録部と、デジタルデータを記憶するためのデータアクセス面を有する記録メディアの該データアクセス面に対してデジタルデータの読み書きを行うデータアクセス部とを備える画像記録装置の制御をコンピュータに実行させるためのコンピュータプログラムであって、
前記データアクセス部をホームポジションに移動する移動工程と、
前記移動工程によって前記ホームポジションに移動された前記データアクセス部を前記インクの付着から保護する保護工程と
をコンピュータに実行させることを特徴とするコンピュータプログラム。
【発明の詳細な説明】
【技術分野】
【０００１】
本発明は、画像記録装置及び方法に関するものである。より詳しくは、画像記録装置は、記録データに応じて記録ノズルよりインク滴を吐出させ、記録メディア上に文字や画像を記録するインクジェット式記録部と、記録メディアに対してデジタルデータの読み書きを行うデータアクセス部とを備える。この記録メディアには、例えば、コンパクトディスク（以下「ＣＤ」ともいう）、ＤＶＤディスク（ＤＶＤ−Ｒ、ＤＶＤ−ＲＷディスク等を含む）、ＨＤＤ等がある。
【背景技術】
【０００２】
プリンタ、複写機、ファクシミリ等の記録装置として、画像情報に基づいたドットパターンを、紙やプラスチック薄板等の被記録媒体上に形成することで画像を記録する記録装置が挙げられる。このような記録装置は、インクジェット式、ワイヤドット式、サーマル式、レーザービーム式等、様々な記録方式の記録装置があり、近年、記録装置に対しては、高速記録、高画像品質（高解像度）、低騒音等が要求されている。
【０００３】
これらの要求に応える記録装置として、インクジェット式の記録装置（インクジェット記録装置）がある。このインクジェット記録装置は、記録ヘッドの吐出口から吐出したインク（記録液）滴を、被記録媒体に付着させることにより画像が形成される。また、非接触で記録を行うことが可能であるため、幅広い被記録媒体に対して安定した画像を記録することができる。
【０００４】
近年は、光学的な記録メディアであるＣＤやＤＶＤが一般に普及している。そして、この記録メディアとして、デジタルデータを記録する記録面（以下、「データアクセス面」とも言う）の反対側の印刷面（以下「レーベル面」とも言う）を、インクジェット記録装置で印刷可能な媒体で構成するものが知られている。従来から、このような記録メディアのレーベル面に対するインクジェット記録と、データアクセス面に対するデータアクセス部（以下「ピックアップ」とも言う）を用いたデータアクセスとを、同一箇所内で行うための構成が複数提案されている。
【０００５】
例えば、特許文献１には、光学ディスクの記録装置において、レーベル面に対向して固定されたインクジェットノズルを有し、光学ディスクを回転させながらそのインクジェットノズルにより文字の印刷を行うインクジェット記録装置が提案されている。
【０００６】
特許文献２には、書込可能な光学ディスクにデータを書き込むデータ記録部と、該記録面と反対側の印刷面に画像を印刷（記録）する画像記録部とを備える画像記録装置が提案されている。
【０００７】
また、このようなレーベル面とデータアクセス面とでそれぞれ記録可能なインクジェットプリンタにおいて、インクミストの弊害を防止するための構成も提案されている。
【０００８】
例えば、特許文献３には、光学ディスクからデータを読み込むデータアクセス部と、画像を記録する画像記録部とを有する記録装置が提案されている。この記録装置では、データアクセスモードと画像記録モードをユーザ操作に基づいて切り替える、及び光学ディスクのデータアクセス面及びデータアクセス部をインクミストから保護する保護部を備える。
【０００９】
上記従来例は、いずれもレーベル面へのインクジェット記録と、データアクセス面へのデータアクセスとを同一箇所で行うものである。そして、従来から知られているものとして、画像情報の読み書きを行うデータアクセス部と、インクジェット記録部とを同一装置内に搭載するものが知られている。データアクセス部としては、光学的なデータアクセス部を有するコンパクトディスク（以下、「ＣＤ」ともいう）、ＤＶＤディスク（ＤＶＤ−Ｒ、ＤＶＤ−ＲＷディスク等を含む）ドライブや、磁気的なデータアクセス部を有するＨＤＤ等がある。
【００１０】
近年、デジタルカメラで撮影した画像を、ＰＣ（パーソナルコンピュータ）無しでＣＤやＨＤＤに記録してインクジェット記録を行うニーズが高まっており、このようにデータアクセス部とインクジェット記録部とを同一本体内にもつ構成は増加する傾向にある。
【特許文献１】特開平０６−０３１９０６号公報
【特許文献２】特開２００２−１３３８５１号公報
【特許文献３】特開２００４−０６２９５１号公報
【発明の開示】
【発明が解決しようとする課題】
【００１１】
しかしながら、上記画像記録装置では、インクジェット記録装置特有の問題である記録メディアに到達しない細かいインク滴（以下、「ミスト」とも呼ぶ）への対策が行われていないという問題がある。また、仮に対策を施したとしても、その機構は複雑で非常に大掛かりな装置になってしまうという問題がある。
【００１２】
このミスト問題について簡単に説明する。インクジェット記録方法では、記録ヘッドの吐出口からインク（記録液）を吐出させて記録を行うが、このインク吐出の際に記録に用いられるインク滴に付随して細かいインク滴であるミストが発生してしまう。このミストが装置内を浮遊し、装置内のあらゆる場所に付着して、装置を汚す原因となってしまう。特に、データアクセスを行うピックアップ部への汚れの付着は、データ読込や書込の際のエラー率が悪化し、はなはだしい場合には使用できなくなってしまうという問題を引き起こす。
【００１３】
以下、具体的に従来技術における問題点を列挙する。
【００１４】
特許文献１及び特許文献２では、レーベル面へのインクジェット記録とデータアクセス面へのデータアクセスとが記録装置内の同一箇所で実施できることを説明している。しかしながら、これらの特許文献には、インクジェット記録方式特有の問題であるミストについては、特に、言及されていない。
【００１５】
特許文献３では、画像データのデジタル記録の一手段である光学ディスクのデータアクセス面とデータアクセス部全体を保護する保護部について言及している。
【００１６】
ここで、データアクセス部は、本体内に固定され、複数の光学ディスク印刷を経験することになるので、インクミストの影響が非常に大きい。一方、光学ディスクはユーザにより交換されることが多く、インクミストの影響は軽微である。このような環境にもかかわらず、光学ディスクのデータアクセス面全体を保護するには大きな保護装置が必要となりコストアップ要因となってしまう。
【００１７】
また、特許文献３は、データアクセスとインクジェット記録を同一の箇所で行う場合のインクミスト対策について述べているが、同一装置内に各々を持つ装置における対策については言及していない。
【００１８】
さらに、特許文献３は、光学ディスクをデータアクセス部の開口部に密着させることでデータアクセス部へのミスト付着を防止するものであるから、光学ディスクが挿入されていない場合にミスト付着を防止することができない。このため、ユーザが常時光学ディスクを挿入していない場合、データアクセス部へのミスト付着を防止できないこととなってしまう。
【００１９】
本発明は上記の課題に鑑みてなされたものである。その目的は、インクミスト汚れ防止対象を光学ディスクや磁気ディスクで重要なデータアクセス部に絞ることで、低コストで効果的なインクミスト汚れ防止機構を有する画像記録装置及びその制御方法、コンピュータプログラムを提供することにある。
【課題を解決するための手段】
【００２０】
上記の目的を達成するための本発明による画像記録装置は以下の構成を備える。即ち、画像を記録するためのレーベル面を有する記録メディアの該レーベル面にインクを吐出し画像を記録する記録部と、デジタルデータを記憶するためのデータアクセス面を有する記録メディアの該データアクセス面に対してデジタルデータの読み書きを行うデータアクセス部とを備える画像記録装置であって、前記データアクセス部は前記インクの付着から保護されるための保護手段を備える。
【００２１】
また、好ましくは、前記保護手段は、前記データアクセス部のデータアクセス面をキャッピングするキャッピング手段である。
【００２２】
また、好ましくは、前記データアクセス部をホームポジションに移動する移動手段と、
前記移動手段及び前記保護手段の動作を制御する制御手段とを更に備え、
前記制御手段は、前記データアクセス部を前記移動手段によって前記ホームポジションに移動後、前記キャッピング手段によって前記データアクセス面をキャッピングすることで、該データアクセス面への前記インクの付着から保護する。
【００２３】
また、好ましくは、前記保護手段は、前記ホームポジションで前記データアクセス部をその外部から遮蔽する遮蔽部材である。
【００２４】
また、好ましくは、前記保護手段は、データアクセス部を帯電させる帯電手段である。
【００２５】
また、好ましくは、前記保護手段は、前記データアクセス部のデータアクセス面を構成する帯電性を持たせて成型された光学部材である。
【００２６】
また、好ましくは、前記保護手段は、前記データアクセス部のデータアクセス面をインクの付着状態から回復させるための回復手段である。
【００２７】
また、好ましくは、前記回復手段は、ワイパー部材である。
【００２８】
また、好ましくは、前記回復手段は、前記データアクセス部のデータアクセス面に付着したインクを吸収する吸収部材である。
【００２９】
また、好ましくは、前記データアクセス部のデータアクセス面にインクが付着しているか否かを検知する検知手段と、
前記回復手段の動作を制御する制御手段とを更に備え、
前記制御手段は、前記検知手段の検知結果に基づいて、前記回復手段による回復処理を実行する。
【００３０】
また、好ましくは、前記検知手段の検知結果に基づいて、前記データアクセス部の回復処理の実行を促すメッセージを表示する表示手段を更に備える。
【００３１】
また、好ましくは、前記保護手段は、前記データアクセス部を前記インクジェット記録部の記録実施位置よりも上方に構成することで、前記データアクセス部への前記インクの付着から保護する。
【００３２】
また、好ましくは、前記保護手段は、前記データアクセス部と前記インクジェット記録部とを空間的に分離させることで、前記データアクセス部への前記インクの付着から保護する。
【００３３】
上記の目的を達成するための本発明による画像記録装置の制御方法は以下の構成を備える。即ち、画像を記録するためのレーベル面を有する記録メディアの該レーベル面にインクを吐出し画像を記録する記録部と、デジタルデータを記憶するためのデータアクセス面を有する記録メディアの該データアクセス面に対してデジタルデータの読み書きを行うデータアクセス部とを備える画像記録装置の制御方法であって、前記データアクセス部をホームポジションに移動する移動工程と、前記移動工程によって前記ホームポジションに移動された前記データアクセス部を前記インクの付着から保護する保護工程とを備える。
【００３４】
上記の目的を達成するための本発明によるコンピュータプログラムは以下の構成を備える。即ち、画像を記録するためのレーベル面を有する記録メディアの該レーベル面にインクを吐出し画像を記録する記録部と、デジタルデータを記憶するためのデータアクセス面を有する記録メディアの該データアクセス面に対してデジタルデータの読み書きを行うデータアクセス部とを備える画像記録装置の制御をコンピュータに実行させるためのプログラムであって、前記データアクセス部をホームポジションに移動する移動工程と、前記移動工程によって前記ホームポジションに移動された前記データアクセス部を前記インクの付着から保護する保護工程とをコンピュータに実行させる。
【発明の効果】
【００３５】
本発明によれば、インクミスト汚れ防止対象を光学ディスクやで重要なデータアクセス部に絞ることで、低コストで効果的なインクミスト汚れ防止機構を有する画像記録装置及びその制御方法、コンピュータプログラムを提供できる。
【発明を実施するための最良の形態】
【００３６】
以下、本発明の実施の形態について図面を用いて詳細に説明する。
【００３７】
尚、本実施形態で説明するデータアクセス部としては、ＣＤ、ＣＤ−Ｒ、ＤＶＤ、ＤＶＤ−Ｒ等の光学ディスクからなる記録メディアを光学的に読み取る光学読取部を意味するものである。また、別のデータアクセス部としては、ＨＤＤ、ＦＤ、ＭＯ等の磁気ディスクからなる記録メディアを磁気的に読み取る磁気読取部を意味するものである。
【００３８】
また、本発明で説明するインク汚れ保護機能としては、データアクセス部へのミスト汚れを未然に防止するミスト汚れ防止機能と、汚れを除去するミスト汚れ回復機能の少なくとも一方を意味するものとする。
【００３９】
まず、本発明の実施形態の説明に先立ち、本発明を適用可能な画像記録装置の基本構成の一例を図１から図４Ａ〜Ｃに基づいて説明する。
【００４０】
図１は本発明を適応可能な画像記録装置の模式図である。
【００４１】
画像記録装置１０は、インクジェット記録部１０００と、データドライブ部１１００とから構成される。
（データアクセス部の基本構成例）
図１のデータドライブ部１１００は、データアクセス部によって、その中にデジタルデータ（画像データ等）を記憶させるＣＤ−Ｒ１１０１を搭載する。データドライブ部１１００の開閉ボタン１１０２を押すと、ＣＤ−Ｒ１１０１を載せるトレイが出現する。ユーザが、このトレイ上に記録メディアであるＣＤ−Ｒ１１０１を載せて、再度開閉ボタン１１０２を押すと、ＣＤ−Ｒ１１０１はデータドライブ部１１００内に収納され、データアクセス部によるデジタルデータのＣＤ−Ｒ１１０１への記録が可能となる。
（インクジェット記録部の基本構成例）
図２及び図３は本発明を適用可能なインクジェット記録部の要部の概略構成図である。
【００４２】
図２において、インクジェット記録部１０００の外装部材内に収納されたシャーシＭ３０１９は、所定の剛性を有する複数の板状金属部材によって構成されて、インクジェット記録部１０００の骨格を成すものであり、次のような各記録動作機構を保持する。自動給送部Ｍ３０２２は、記録媒体（用紙、記録メディア等）をインクジェット記録部１０００本体内へと自動的に給送する。搬送部Ｍ３０２９は、自動給送部Ｍ３０２２から１枚ずつ送出される記録媒体を所定の記録位置へと導くと共に、その記録位置から排出部Ｍ３０３０へと記録媒体を導く。
【００４３】
矢印Ｙは、記録媒体の搬送方向（副走査方向）である。ＬＦモータＥ０００２の駆動によって、記録位置に搬送された記録媒体は、記録部（インクジェット記録ヘッドＨ１００１（図３参照：以下、記録ヘッドＨ１００１と略称する））によって所望の記録が行われる。この記録部に対しては、回復部Ｍ５０００によって回復処理が行われる。Ｍ２０１５は紙間調整レバー、Ｍ３００６は、ＬＦローラＭ３００１の軸受けである。
【００４４】
記録部である記録ヘッドＨ１００１において、キャリッジＭ４００１は、キャリッジ軸Ｍ４０２１によって矢印Ｘの主走査方向に移動可能に支持されている。このキャリッジＭ４００１には、インクを吐出可能な記録ヘッドＨ１００１が着脱可能に搭載される。本例の記録ヘッドＨ１００１は、図３のように、インクを貯留するインクタンクＨ１９００と共に、記録ヘッドカートリッジＨ１０００を構成する。
【００４５】
インクタンクＨ１９００としては、写真調の高画質なカラー記録を可能とするために、例えば、ブラック、ライトシアン、ライトマゼンタ、シアン、マゼンタ及びイエローの各色独立のインクタンクが用意されている。これらのインクタンクＨ１９００のそれぞれは、記録ヘッドＨ１００１に対して着脱自在となっている。
【００４６】
記録ヘッドＨ１００１は、メイン基板Ｅ０００１から本体フレキシブルフラットケーブルＥ００１２を経由して記録に必要なヘッド駆動信号を得る。また、インクを吐出するためのエネルギーとして、電気熱変換体から発生する熱エネルギーを利用するものであってもよい。その場合には、電気熱変換体の発熱によってインクに膜沸騰を生じさせ、そのときの発泡エネルギーによって、インク吐出口からインクを吐出することができる。
【００４７】
回復部Ｍ５０００には、記録ヘッドＨ１００１におけるインク吐出口の形成面をキャップするキャップ（不図示）が備えられている。このキャップには、その内部に負圧を導入可能な吸引ポンプを接続してもよい。その場合、記録ヘッドＨ１００１のインク吐出口を覆ったキャップ内に負圧を導入して、インク吐出口からインクを吸引排出させることで、記録ヘッドＨ１００１の良好なインク吐出状態を維持すべく回復処理（「吸引回復処理」ともいう）をすることができる。
【００４８】
また、キャップ内に向かって、インク吐出口から画像の記録に寄与しないインクを吐出させることによって、記録ヘッドＨ１００１の良好なインク吐出状態を維持すべく回復処理（「吐出回復処理」ともいう）をすることができる。
【００４９】
また、キャリッジＭ４００１には、図２のように、キャリッジＭ４００１上の所定の装着位置に記録ヘッドＨ１００１を案内するためのキャリッジカバーＭ４００２が設けられている。
【００５０】
さらに、キャリッジＭ４００１には、記録ヘッドＨ１００１のタンクホルダーと係合して、記録ヘッドＨ１００１を所定の装着位置にセットさせるヘッドセットレバーＭ４００７が設けられている。ヘッドセットレバーＭ４００７は、キャリッジＭ４００１の上部に位置するヘッドセットレバー軸に対して回動可能に設けられており、記録ヘッドＨ１００１と係合する係合部には、ばね付勢されるヘッドセットプレート（不図示）が備えられている。そのばね力によって、ヘッドセットレバーＭ４００７は、記録ヘッドＨ１００１を押圧しながらキャリッジＭ４００１に装着する。
【００５１】
次に、画像記録装置１０の制御系の概略構成について、図４Ａを用いて説明する。
【００５２】
図４Ａは本発明を適用可能な画像記録装置における制御系の概略のブロック構成図である。
【００５３】
図４Ａでは、インクジェット記録部１０００とデータドライブ部１１００に対する主要な制御系の構成を示している。
【００５４】
図４Ａにおいて、ＣＰＵ１００は、本例のインクジェット記録部１０００及びデータドライブ部の動作の制御処理やデータ処理等を実行する。ＲＯＭ１０１は、それらの処理手順等のプログラムが格納され、また、ＲＡＭ１０２は、それらの処理を実行するためのワークエリア等として用いられる。
【００５５】
記録ヘッドＨ１００１からのインクの吐出は、ＣＰＵ１００が電気熱変換体等の駆動データ（記録データ）及び駆動制御信号（ヒートパルス信号）をヘッドドライバＨ１００１Ａに供給することにより行われる。ＣＰＵ１００は、キャリッジＭ４００１を主走査方向に駆動するためのキャリッジモータ１０３をモータドライバ１０３Ａを介して制御し、また記録媒体を副走査方向に搬送するためのＰ．Ｆモータ１０４をモータドライバ１０４Ａを介して制御する。
【００５６】
以上のような構成のインクジェット記録部１０００によって記録を行う場合には、まず、ホスト装置２００（図４Ａ参照）から外部Ｉ／Ｆを通して送出されてきた記録データをプリントバッファに一旦格納する。そして、キャリッジモータ１０３でキャリッジＭ４００１と共に記録ヘッドＨ１００１を主走査方向に移動させつつ、記録データに基づいて記録ヘッドＨ１００１からインクを吐出させる記録動作を実行する。これに加えて、Ｐ．Ｆモータ１０４で記録媒体を副走査方向に所定量搬送する搬送動作とを実行する。そして、これらの記録動作と搬送動作を繰り返すことによって、記録媒体上に順次画像を記録する。あるいは、データ記憶部３００から画像データを読み込んでＣＰＵ１００に送り、ＣＰＵ１００によってインクジェット記録部用の記録データへと変換して記録を行っても良い。
【００５７】
また、カードスロットルとＨＤＤ等の複数のデータアクセス部を持つ場合には、カードスロットルの画像データをＨＤＤに複写して保存し、インクジェット記録部１０００による画像記録は後ほど行うようにしてもよい。
【００５８】
一方、データアクセス部ＡＡ０２は、ホスト装置２００からデジタルデータを受信して、そのデジタルデータを記録媒体への書込を行うことができる。また、ホスト装置２００からの読取指示に基づいて、記録媒体からデジタルデータの読出を行うことができる。
【００５９】
上述のように、本発明のインク汚れ保護機能としては、データアクセス部へのミスト汚れを未然に防止するミスト汚れ防止機能と、汚れを除去するミスト汚れ回復機能の少なくとも一方を搭載する。
【００６０】
特に、ミスト汚れ防止機能を搭載する場合は、ＣＰＵ１００は、所定時間帯以外の時間には、データアクセス部ＡＡ０２のデジタルデータ読み書き範囲外にあるホームポジション（待機位置）にデータアクセス部ＡＡ０２を移動して待機させる。尚、この所定時間帯とは、データアクセス部ＡＡ０２のデータ読み書き実施時やデータ読み書き準備時等である。そして、ホームポジションへの移動が完了する（ホームポジションでの待機を検知する）と、ＣＰＵ１００は、キャッピング部ＡＡ７０によってデータアクセス部ＡＡ０２のデータアクセス面へのキャッピング処理を行う。
【００６１】
また、ミスト汚れ回復機能を搭載する場合は、データアクセス部用回復部ＬＬ０５を搭載する場合には、ホームポジションへの移動が完了すると、ＣＰＵ１００は、データアクセス部用回復部ＬＬ０５による回復処理を行う。また、ＣＰＵ１００は、検知部ＡＡ５０によってデータアクセス部ＡＡ０２の汚れ（インク付着）を検知した場合も、適宜、データアクセス部ＡＡ０２をホームポジションへ移動してデータアクセス部用回復部ＬＬ０５による回復処理を行う。
【００６２】
もちろん、インク汚れ保護機能として、ミスト汚れ防止機能とミスト汚れ回復機能の両方を搭載する構成であっても良い。
【００６３】
尚、図４Ａにおいて、ホスト装置２００と画像記録装置１０とは、所定のインタフェース（例えば、ＵＳＢ等）を介して接続されるものとする。また、ホスト装置２００の機能を画像記録装置１０内に組み込んで、画像記録装置１０単体で、インクジェット記録部１０００とデータドライブ部１１００を制御する構成にすることも可能である。
【００６４】
次に、ミスト汚れ防止機能とミスト汚れ回復機能それぞれを実現する場合の基本動作について、図４Ｂ及び図４Ｃのフローチャートを用いて説明する。
【００６５】
尚、図４Ｂ及び図４Ｃの処理はそれぞれ、ＣＰＵ１００が、ＲＡＭに記憶されている各処理を実行するためのプログラムを読み出し実行することによって実現される。
【００６６】
図４Ｂは本発明に適用可能なミスト汚れ防止機能の基本動作を示すフローチャートである。
【００６７】
ステップＳ１０１で、ＣＰＵ１００は、データアクセス部ＡＡ０２によるデータ読取／書込が終了したか否を判定する。終了していない場合（ステップＳ１０１でＮＯ）、終了するまで待機する。
【００６８】
一方、終了した場合（ステップＳ１０１でＹＥＳ）、ステップＳ１０２で、ＣＰＵ１００は、データアクセス部ＡＡ０２を、ホームポジションへ移動する。ステップＳ１０３で、ＣＰＵ１００は、キャッピング部ＡＡ７０によってホームポジションにあるデータアクセス部ＡＡ０２に対してキャピング処理を実行する。このキャッピング処理の具体的な内容については、以下の実施形態１等で詳細に説明する。
【００６９】
図４Ｃは本発明に適用可能なミスト汚れ回復機能の基本動作を示すフローチャートである。
【００７０】
尚、図４Ｃにおいて、図４Ｂと共通の処理については、同一のステップ番号を付加して、その説明の詳細は省略する。
【００７１】
データ読取／書込が終了すると（ステップＳ１０１でＹＥＳ）、データアクセス部ＡＡ０２がホームポジションに移動する（ステップＳ１０２）。その後、ステップＳ１０４で、ＣＰＵ１００は、データアクセス部用回復部ＬＬ０５によってホームポジションにあるデータアクセス部ＡＡ０２に対して回復処理を実行する。この回復処理の具体的な内容については、以下の実施形態３等で詳細に説明する。
【００７２】
ここでは、ミスト汚れ回復機能は、データアクセス部ＡＡ０２をホームポジションを移動（退避）させた場合に実行する例を示している。しかしながら、検知部ＡＡ５０によって、データアクセス部ＡＡ０２の汚れ（インク付着）を検知した場合も、適宜、データアクセス部ＡＡ０２をホームポジションへ移動してデータアクセス部用回復部ＬＬ０５による回復処理を行う。
【００７３】
以上説明したように、本発明では、データアクセス部ＡＡ０２がホームポジションに移動すると、ミスト汚れ防止機能やミスト汚れ回復機能のミスト汚れ保護機能を実行する。
【００７４】
尚、インクジェット記録部１０００による記録を行う際にデータアクセス部ＡＡ０２がデータ読み書き範囲に存在する場合には、ＣＰＵ１００は、そのデータアクセス部ＡＡ０２をホームポジションに退避させる。そして、その退避後、ＣＰＵ１００は、ミスト汚れ保護機能を実行した上で、インクジェット記録部１０００による記録を実行するようにする。これにより、データアクセス部に対するミスト汚れ保護機能をより安全かつ確実に実行することが可能となる。
【００７５】
また、図４Ｂ及び図４Ｃでは、代表的なミスト汚れ保護機能の基本動作を説明しているが、以下に説明する各実施形態で必要な処理は、ＣＰＵ１００による制御によって実現されるものとする。
【００７６】
＜＜実施形態１＞＞
図５は本発明の実施形態１のデータドライブ部内に構成されるデータアクセス部を上から見た模式図である。
【００７７】
本体部材ＡＡ００に対して、デジタルデータの記録や読取が可能な光学ディスクＡＡ０１は、ディスク回転軸兼ディスク固定軸ＡＡ０４により固定され、さらに固定軸ＡＡ０４を回転させることで光学ディスクＡＡ０１も共に回転するよう構成されている。データアクセス部ＡＡ０２は、光学ディスクＡＡ０１への書込／読込部となる発光源・反射光読取装置等が含まれており、データアクセス部移動軸ＡＡ０３にそって移動する構成となっている。
【００７８】
本発明では、データアクセス部ＡＡ０２によるデータ読み書き範囲の外に、インクミスト汚れ防止部を有することを特徴とするものである。換言すれば、インクジェット記録部１０００から吐出されるインク滴のデータアクセス部（主に、データアクセス面（読取／書込））への付着を防止する機構を、データアクセス部ＡＡ０２によるデータ読み書き範囲の外に有している。
【００７９】
実施形態１では、インクミスト汚れ防止部として、データアクセス部ＡＡ０２に対するキャッピング部（キャップＡＡ０６とキャップ土台ＡＡ０５）とを有する構成について説明する。
【００８０】
図６は本発明の実施形態１の固定軸ＡＡ０４からデータアクセス部移動軸ＡＡ０３方向の部分についての図５のＡ−Ａ’面における断面図である。
【００８１】
光学ディスクＡＡ０１は固定軸ＡＡ０４により固定され、光学ディスクＡＡ０１のデータアクセス面に対向する位置に、データアクセス部ＡＡ０２がデータアクセス部移動軸ＡＡ０３により保持されて存在する。
【００８２】
また、データアクセス部ＡＡ０２による光学ディスクＡＡ０１へのデジタルデータ読み書き範囲外にあるデータアクセス部ＡＡ０２のホームポジション（待機位置）に、本発明の特徴であるインクミスト汚れ防止部が設置されている。具体的には、インクミスト汚れ防止部として、データアクセス部ＡＡ０２に対するキャッピング部ＡＡ７０（データアクセス部ＡＡ０２用のキャップＡＡ０６とキャップ土台ＡＡ０５）が設置されている。光学ディスクＡＡ０１に対するデータ読み書き実施時やデータ読み書き準備時以外の時間、データアクセス部ＡＡ０２は、そのホームポジションで、図６左端にあるインクミスト汚れ防止部（キャッピング部ＡＡ７０）により、インクミストの付着から保護される。
【００８３】
次に、インクミスト汚れ防止部の動作について説明する。
【００８４】
光学ディスクＡＡ０１に対するデータ読み書きが終了すると、データアクセス部ＡＡ０２はデータアクセス部移動軸ＡＡ０３に沿って、図６左端のインクミスト汚れ防止部内のホームポジションへと移動する。
【００８５】
図７は本発明の実施形態１のデータアクセス部移動軸に沿った方向から見たデータアクセス部移動直後の図５におけるＢ−Ｂ’面における断面図である。
【００８６】
データアクセス部ＡＡ０２に対向する位置に、キャップ土台ＡＡ０５により保持されているキャップＡＡ０６を設けている。次に、キャップＡＡ０６をデータアクセス部ＡＡ０２のデータアクセス面へ移動させ、データアクセス部ＡＡ０２へのキャッピングを実施する（図８）。これにより、データアクセス部ＡＡ０２が密封されるため、本体内に浮遊するインクミストがデータアクセス部ＡＡ０２に付着することを防止することができる。
【００８７】
ここでは、キャップＡＡ０６を移動させたが、逆に、データアクセス部ＡＡ０２を移動させ、キャッピングを行っても良い。
【００８８】
図９は本発明の実施形態１のデータアクセス部ＡＡ０２を移動してキャッピングを行う例を示す図である。
【００８９】
図９に示されるように、移動させる必要の無くなったキャップＡＡ０６は、本体部材ＡＡ００に直接固定されている。
【００９０】
ここで、図１０及び図１１を用いて、データアクセス部ＡＡ０２に対するキャッピング動作を説明する。
【００９１】
光学ディスクに対するデータ読み書きが終了すると、データアクセス部ＡＡ０２はデータアクセス部移動軸ＡＡ０３に沿って、図９左端のキャップＡＡ０６へ対向する位置（ホームポジション）へと移動する。
【００９２】
図１０は図９のＢ−Ｂ’断面から見た移動直後の図である。データアクセス部ＡＡ０２に対向する位置に、キャップＡＡ０６を設けている。次に、データアクセス部移動軸ＡＡ００３をキャップＡＡ０６方向に移動させ、データアクセス部ＡＡ０２へのキャッピングを実施する（図１１）。これにより、先程と同様、データアクセス部ＡＡ０２のデータアクセス面が密封されるため、本体内に浮遊するインクミストがデータアクセス部ＡＡ０２に付着することを防止することができる。
【００９３】
また、インクミストの発生が少ない等、データアクセス部ＡＡ０２のデータアクセス面を密閉する必要性が低い場合については、図１２のように簡易的な遮蔽部分（データアクセス部遮蔽リブ（部材）ＡＡ０７に囲まれた部分）を設ける。そして、この遮蔽部分にデータアクセス部ＡＡ０２を待機させることでもよい。
【００９４】
これは、浮遊インクミストは空気の流れに沿って移動する。そのため、図１２のデータアクセス部遮蔽リブＡＡ０７を設けて、退避中のデータアクセス部周りの空気流を遮断することで、データアクセス部ＡＡ０２へのインクミスト付着を減らすことが可能であるからである。
【００９５】
以上説明したように、実施形態１によれば、インクミスト汚れ防止部（対策部）の対象を光学ディスクや磁気ディスクで重要なデータアクセス部に絞り、データアクセス部へのキャッピング、もしくは遮蔽部分を構成する。これにより、低コストで効果的なインクミスト汚れ防止部を有する、デジタルデータを記録するデータアクセス部とインクジェット記録を行うインクジェット記録部とを同一装置内に搭載する画像記録装置を提供することが可能になる。
【００９６】
＜＜実施形態２＞＞
次に、本発明の実施形態２として、インクミスト汚れ防止部にインクミストの帯電を利用する構成について説明する。本実施形態では、光学ディスクとして、ＤＶＤ−Ｒ、データアクセス部として発光ＬＥＤとレンズを用いた光ピックアップを例としてあげる。
【００９７】
図１３は本発明の実施形態２の固定軸ＡＡ０４からデータアクセス部移動軸ＡＡ０３方向の部分についての図５のＡ−Ａ’面における断面図である。
【００９８】
ここで、データアクセス部ＡＡ０２は、データアクセス面に帯電部材ＩＩ０８を設けている。
【００９９】
実施形態２でのデータアクセス部ＡＡ０２を、データアクセス面からみた様子を図１４に示す。データアクセス部ＡＡ０２は、そのデータアクセス面に光の集積を行う光学部材（光学レンズＩＩ０９）を有し、その周りに帯電部材ＩＩ０８を設ける。インクジェット記録で用いられるインクは電気的に中性ではあるが、ノズルから記録メディアにインク滴として吐出させる際に発生する微小なインク滴（インクミスト）については、帯電してしまうことが知られている。このため、帯電部材ＩＩ０８をインクミストに対して逆に帯電させることで、光学レンズＩＩ０９のインク汚れを防止することが可能となる。
【０１００】
近年は、光学レンズを形成する部材についても導電性を持たせることが可能となっている。このため、光学レンズＩＩ０９そのものに電位を付加してもよい。この場合の例を、図１５に示す。つまり、図１５の例では、光学レンズＩＩ０９の代わりに、導電性を有する光学レンズＩＩ０５を構成している。この場合、帯電部材ＩＩ０８は不要となる。
【０１０１】
また、電位を付加するほかに、光学レンズＩＩ０９をプラスチック成型で作成する際に、表面に電位を付加した状態で固化させることで帯電性を持たせることも可能である。このようにインクミストと逆に帯電した状態の光学レンズを用いることにより、インクミスト汚れを防止してもよい。
【０１０２】
以上説明したように、実施形態２によれば、インクミスト汚れ防止部（対策部）の対象を光学ディスクや磁気ディスクで重要なデータアクセス部に絞り、データアクセス部分を帯電させる。これにより、低コストで効果的なインクミスト汚れ防止部を有する、デジタルデータを記録するデータアクセス部とインクジェット記録を行うインクジェット記録部とを同一装置内に搭載する画像記録装置を提供することが可能になる。
【０１０３】
＜＜実施形態３＞＞
次に、本発明の実施形態３として、インクミストによる汚れ防止部に、データアクセス部へのクリーニング機構を搭載するものについて説明する。
【０１０４】
図１６は本発明の実施形態３の固定軸ＡＡ０４からデータアクセス部移動軸ＡＡ０３方向の部分についての図５のＡ−Ａ’面における断面図である。図示されるように、データアクセス部ＡＡ０２のデータ読み書き範囲外にあるデータアクセス部ＡＡ０２のホームポジションに、データアクセス部用回復部ＬＬ０５を設けている。
【０１０５】
図１７は本発明の実施形態３のデータアクセス部用回復部ＬＬ０５によるデータアクセス部ＡＡ０２の回復処理を説明するための図である。
【０１０６】
データアクセス部ＡＡ０２に対するインクミスト付着を検知部ＡＡ５０（図４Ａ）によって検知すると、本体はデータアクセス部の回復を指示する。データアクセス部ＡＡ０２の回復が指示されると、データアクセス部ＡＡ０２は、データアクセス部回復部ＬＬ０５へと移動する。データアクセス部ＡＡ０２のデータアクセス面に対し、片方が固定されたゴム片（部材）（以下、ワイパーとも言う）がデータアクセス部用回復部ＬＬ０５として用意されている。データアクセス部ＡＡ０２がデータアクセス部移動軸ＡＡ０３に沿って移動すると、データアクセス部用回復部ＬＬ０５により、データアクセス面のワイピングが実施され、インクミスト汚れ（付着）がふき取られる。
【０１０７】
ここでは、データアクセス部用回復部ＬＬ０５として、ワイパーを例に挙げているが、インクを吸収する吸収部材による「拭き部材」をデータアクセス部用回復部として用いても良い。
【０１０８】
また、汚れが著しい場合には、このような機械的な回復よりも、ユーザによる清掃の方が効果的である。このため、汚れが著しいもしくは著しいと予想される場合には、図１８のようなメッセージを、画像記録装置１０の操作部ＡＡ６０（図４Ａ）に表示し、ユーザに清掃を促す「回復通知」を行うことも有効である。ここで、操作部ＡＡ６０は、例えば、タッチパネル等の表示部と操作部を有する。これにより、ユーザは、表示部に表示される操作画面を介して、各種処理を実行することが可能である。
【０１０９】
この汚れ（インク付着）を検知するためには、デジタルデータの読取／書込時のエラーレートや光学的読取信号強度をあらかじめ設定してある閾値と比較することで実現可能である。あるいは、インクジェット記録部１０００の印刷枚数・使用タンク数・吐出ドット数・電源ＯＮ時間・使用期間等から汚れを推定したりすることが有効である。また、図１８で「詳細」ボタンを押下した場合には、清掃時の注意や清掃手順等の案内画面を表示することが望ましい。
【０１１０】
以上説明したように、実施形態３によれば、インクミスト汚れ防止部（対策部）の対象を光学ディスクや磁気ディスクで重要なデータアクセス部に絞り、データアクセス部への回復部を設ける。これにより、低コストで効果的なインクミスト汚れ防止部を有する、デジタルデータを記録するデータアクセス部とインクジェット記録を行うインクジェット記録部とを同一装置内に搭載する画像記録装置を提供することが可能になる。
【０１１１】
＜＜実施形態４＞＞
次に、本発明の実施形態４として、インクミストによる汚れ防止部に、インクミストの少ない箇所にデータアクセス部を配置する例を説明する。
【０１１２】
まず、インクミストの少ない箇所として、重力を利用するものについて説明する。
【０１１３】
図１９は本発明の実施形態４の画像記録装置の正面図である。
【０１１４】
データアクセス部への汚れの原因となるインクミストは、微小ではあるが質量を持っている。このため、画像記録装置１０内下側の方が、よりインクミスト濃度が高くなる。そこで、実施形態４では、画像記録装置１０において、データアクセス部を搭載するデータドライブ部１１００を、インクジェット記録実施位置ＰＰ０１より上に設ける。このような配置を行うことによって、データドライブ部１１００内のデータアクセス部は、画像記録装置１０内でインクミスト濃度の薄い箇所に設置されることとなり、インクミスト汚れを未然に防止することが可能となる。
【０１１５】
図２０は本発明の実施形態４の画像記録装置１０内でデータドライブ部１１００を縦に設置した場合の画像記録装置の正面図である。
【０１１６】
データドライブ部１１００内のデータアクセス部ＡＡ０２は、インクジェット記録実施位置ＰＰ０１に対し上側に配置されている。
【０１１７】
また、インクミストの少ない箇所として、画像記録装置１０内で、データドライブ部１１００と、インクジェット記録部１０００とを空間的に分離した例を図２１に示す。
【０１１８】
浮遊するインクミストは空気の流れにより拡散するため、データドライブ部１１００とインクジェット記録部１０００との間の空気の流れが遮断されることにより、データアクセス部ＡＡ０２のへのインクミスト付着を減らすことが可能となる。
【０１１９】
以上説明したように、実施形態４によれば、装置内のデータアクセス部の物理的な配置をインクミストを避ける構成とする。これにより、低コストで効果的なインクミスト汚れ防止部を有する、デジタルデータを記録するデータアクセス部とインクジェット記録を行うインクジェット記録部とを同一装置内に搭載する画像記録装置を提供することが可能になる。
【０１２０】
尚、本発明の実施形態中では、データドライブ部として、ＣＤ、ＤＶＤ、ＨＤＤを例に挙げているが、これに限定されない。例えば、ＨＤやＢＤ（ブルーレイディスク）等のデータ読取部もしくは読み書き部が存在するその他の読込、あるいは読み書き装置であればいかなるものでもよい。
【０１２１】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１２２】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１２３】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１２４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１２５】
その場合、プログラムの機能を有していれば、オブジェクトコード、インタプリタにより実行されるプログラム、ＯＳに供給するスクリプトデータ等の形態であっても良い。
【０１２６】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２７】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１２９】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【０１３０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１３１】
【図１】本発明を適応可能な画像記録装置の模式図である。
【図２】本発明を適用可能なインクジェット記録部の要部の斜視図である。
【図３】本発明を適用可能なインクジェット記録部に用いられる記録ヘッドの斜視図である。
【図４Ａ】本発明を適用可能な画像記録装置における制御系の概略のブロック構成図である。
【図４Ｂ】本発明に適用可能なミスト汚れ防止機能の基本動作を示すフローチャートである。
【図４Ｃ】本発明に適用可能なミスト汚れ回復機能の基本動作を示すフローチャートである。
【図５】本発明の実施形態１のデータドライブ部内に構成されるデータアクセス部を上から見た模式図である。
【図６】本発明の実施形態１の図５のＡ−Ａ’面における断面図である。
【図７】本発明の実施形態１のデータアクセス部移動軸に沿った方向から見たデータアクセス部移動直後の図５におけるＢ−Ｂ’面における断面図である。
【図８】本発明の実施形態１のデータアクセス部移動軸に沿った方向から見たデータアクセス部移動してキャッピング直後の図５におけるＢ−Ｂ’面における断面図である。
【図９】本発明の実施形態１のデータアクセス部ＡＡ０２を移動してキャッピングを行う例を示す図である。
【図１０】データアクセス部移動軸に沿った方向から見たデータアクセス部移動直後の図９におけるＢ−Ｂ’面における断面図である。
【図１１】本発明の実施形態１のデータアクセス部移動軸に沿った方向から見たデータアクセス部移動してキャッピング直後の図５におけるＢ−Ｂ’面における断面図である。
【図１２】本発明の実施形態１のデータアクセス部ＡＡ０２の周辺に構成する遮蔽部分の例を示す図である。
【図１３】本発明の実施形態２の図５のＡ−Ａ’面における断面図である。
【図１４】本発明の実施形態２のデータアクセス部をデータアクセス面からみた図である。
【図１５】本発明の実施形態２の別構成例のデータアクセス部をデータアクセス面からみた図である。
【図１６】本発明の実施形態３の固定軸ＡＡ０４からデータアクセス部移動軸ＡＡ０３方向の部分についての図５のＡ−Ａ’面における断面図である。
【図１７】本発明の実施形態３のデータアクセス部用回復部ＬＬ０５によるデータアクセス部ＡＡ０２の回復処理を説明するための図である。
【図１８】本発明の実施形態３のメッセージ表示例を示す図である。
【図１９】本発明の実施形態４の画像記録装置の正面図である。
【図２０】本発明の実施形態４の別構成例の画像記録装置の正面図である。
【図２１】本発明の実施形態４の別構成例の画像記録装置の正面図である。
【符号の説明】
【０１３２】
Ｍ２０１５  紙間調整レバー
Ｍ３００１  ＬＦローラ
Ｍ３００６  軸受け
Ｍ３０１９  シャーシ
Ｍ３０２２  自動給送部
Ｍ３０２９  搬送部
Ｍ３０３０  排出部
Ｍ４００１  キャリッジ
Ｍ４００７  ヘッドセットレバー
Ｍ４０２１  キャリッジ軸
Ｍ５０００  回復部
Ｅ０００１  メイン基板
Ｅ００２１  本体フレキ
Ｈ１０００  記録ヘッドカートリッジ
Ｈ１００１  インクジェット記録ヘッド
Ｈ１００１Ａ  ヘッドドライバ
Ｈ１９００  インクタンク
１００  ＣＰＵ
１０１  ＲＯＭ
１０２  ＲＡＭ
１０３  キャリッジモータ
１０３Ａ  モータドライバ
１０４  Ｐ．Ｆモータ
１０４Ａ  モータドライバ
ＡＡ０２  データアクセス部
ＡＡ７０  キャッピング部
ＡＡ５０  検知部
ＡＡ６０  操作部
ＬＬ５０  データアクセス部用回復部
【図１】
2008207494.tif 000003
【図２】
2008207494.tif 000004
【図３】
2008207494.tif 000005
【図４Ａ】
2008207494.tif 000006
【図４Ｂ】
2008207494.tif 000007
【図４Ｃ】
2008207494.tif 000008
【図５】
2008207494.tif 000009
【図６】
2008207494.tif 000010
【図７】
2008207494.tif 000011
【図８】
2008207494.tif 000012
【図９】
2008207494.tif 000013
【図１０】
2008207494.tif 000014
【図１１】
2008207494.tif 000015
【図１２】
2008207494.tif 000016
【図１３】
2008207494.tif 000017
【図１４】
2008207494.tif 000018
【図１５】
2008207494.tif 000019
【図１６】
2008207494.tif 000020
【図１７】
2008207494.tif 000021
【図１８】
2008207494.tif 000022
【図１９】
2008207494.tif 000023
【図２０】
2008207494.tif 000024
【図２１】
2008207494.tif 000025